(57)【要約】【課題】羽根車を内包することで接触による不安感をなくし、広範囲に略均一な風速の気流を提供しつつ、その気流の送風方向を容易に変更できる送風装置を提供すること。【解決手段】送風装置１１は、吹出口１９から吹出される空気の送風方向を水平面に対して上下方向に切り替える切替部２４を備える。切替部２４はノズル１３内部に設けられており、切替部２４によって送風方向を変更させても、複数のノズル１３の間隙の一部を塞ぐ等、その間隙を変化させることがなく、誘引風路２２にて誘引される誘引空気流２６を乱すことなく、送風装置１１から送風される面気流の送風方向を変更できる。【選択図】図４
2019060294.tif 000002
【特許請求の範囲】
【請求項１】
筐体に、空気を取り入れる吸込口と、高圧空気を発生するための羽根車と前記羽根車を駆動するためのモータで構成された高圧空気発生部と、前記筐体の一面から起立させた複数のノズルとを備え、
前記ノズルは、側部に、前記ノズルを起立させた方向に対して垂直方向に前記高圧空気発生部で発生した高圧空気を吹出す吹出口を備え、内部に、高圧空気を前記吹出口に導くためのダクトを備え、
前記ノズルは、前記垂直方向の断面が吹出方向に縦長であり、複数それぞれの前記吹出口が同一面となるように間隙を設けて備えられ、
前記間隙によって、前記吹出口から吹出す空気に誘引される空気の誘引風路が形成される送風装置であって、
前記間隙を変化させずに前記送風装置からの送風方向を切り替える切替部を備えたことを特徴とする送風装置。
【請求項２】
前記切替部は、前記筐体内部乃至前記ノズル内部に設けられ、前記吹出口から吹出される空気の送風方向を切り替えることを特徴とする請求項１記載の送風装置。
【請求項３】
前記切替部は、水平面に対して上下方向に前記送風方向を切り替えることを特徴とする請求項１又は２記載の送風装置。
【請求項４】
前記切替部は、前記同一面からみて左右方向に前記送風方向を切り替えることを特徴とする請求項１から３のいずれかに記載の送風装置。
【請求項５】
前記ノズルは、前記垂直方向の断面形状が前記吹出方向に縦長の矩形形状であり、短辺側の一方の側部に第１吹出口を備え、短辺側の他方の側部に第２吹出口を備え、
前記切替部は、前記第１吹出口と前記第２吹出口のどちらか一方のみから空気が吹出されるように切り替えることを特徴とする請求項１から４のいずれかに記載の送風装置。
【請求項６】
前記切替部は、複数の前記吹出口から吹出される空気の送風方向を、水平面に対して広角に拡大するワイド気流と、中央部に集中させるスポット気流とで切り替えることを特徴とする請求項１から５のいずれかに記載の送風装置。
【請求項７】
前記切替部は、前記ノズル内部の前記吹出口の近傍に風向を変更する風向板を備え、前記風向板の設置角度を変更するものであることを特徴とする請求項１から６のいずれかに記載の送風装置。
【請求項８】
前記ノズルは少なくとも３本以上を備え、
前記切替部は、それぞれのノズルに対して前記高圧空気発生部から供給する空気の風量を変更することにより、前記送風装置からの送風方向を切り替えることを特徴とする請求項１から７のいずれかに記載の送風装置。
【請求項９】
筐体に、空気を取り入れる吸込口と、高圧空気を発生するための羽根車と前記羽根車を駆動するためのモータで構成された高圧空気発生部と、前記筐体の一面から起立させた複数のノズルとを備え、
前記ノズルは、側部に、前記ノズルを起立させた方向に対して垂直方向に前記高圧空気発生部で発生した高圧空気を吹出す吹出口を備え、内部に、高圧空気を前記吹出口に導くためのダクトを備え、
前記ノズルは、前記垂直方向の断面が吹出方向に縦長であり、複数それぞれの前記吹出口が同一面となるように間隙を設けて備えられ、
前記間隙によって、前記吹出口から吹出す空気に誘引される空気の誘引風路が形成される送風装置を用いて気流を提供する気流提供方法であって、
前記高圧空気発生部により高圧空気を発生させる発生工程と、
前記間隙を変化させずに前記送風装置からの送風方向を切り替える切替工程とを含むことを特徴とする気流提供方法。
【請求項１０】
筐体に、空気を取り入れる吸込口と、高圧空気を発生するための羽根車と前記羽根車を駆動するためのモータで構成された高圧空気発生部と、前記筐体の一面から起立させた複数のノズルとを備え、
前記ノズルは、側部に、前記ノズルを起立させた方向に対して垂直方向に前記高圧空気発生部で発生した高圧空気を吹出す吹出口を備え、内部に、高圧空気を前記吹出口に導くためのダクトを備え、
前記ノズルは、前記垂直方向の断面が吹出方向に縦長であり、複数それぞれの前記吹出口が同一面となるように間隙を設けて備えられ、
前記間隙によって、前記吹出口から吹出す空気に誘引される空気の誘引風路が形成される送風装置により実行される気流提供プログラムであって、
前記送風装置に、
前記間隙を変化させずに前記送風装置からの送風方向を切り替える切替部を実現させるための気流提供プログラム。
【発明の詳細な説明】
【技術分野】
【０００１】
本発明は、居室内に設置され、直接気流による体感温度の減少や室内の空気の循環に使用される扇風機などの送風装置、その送風装置を用いて気流を提供する気流提供方法、及び、その送風装置により実行される気流提供プログラムに関する。
【背景技術】
【０００２】
羽根車への接触による不安感をなくしつつ、広範囲に略均一な風速の気流を提供できる送風装置として、例えば、特許文献１に記載される送風装置がある。この送風装置は、筐体に、空気を取り入れる吸込口と、高圧空気を発生するための羽根車とその羽根車を駆動するためのモータで構成された高圧空気発生部と、筐体の一面から起立させた複数のノズルとを備える。ノズルは、側部に、ノズルを起立させた方向に対して垂直方向に高圧空気発生部で発生した高圧空気を吹出す吹出口を備える。また、ノズルは、内部に、高圧空気を吹出口に導くためのダクトを備える。このノズルは、前記垂直方向の断面が吹出方向に縦長であり、複数それぞれの吹出口が同一面となるように間隙を設けて備えられる。その間隙によって、吹出口から吹出す空気に誘引される空気の誘引風路が形成される。
【０００３】
この送風装置は、羽根車を内包することで接触による不安感をなくすことができる。また、吹出口からの高圧空気の吹出しにより誘引される空気が小さくならないよう間隙を設けて複数のノズルが備えられているため、複数の吹出口から吹出された高圧空気と、吹出口からの高圧空気の吹出しにより誘引される空気からなる面気流を広範囲に略均一な風速の気流とすることができる。また、吹出口を面一とすることで、吹出す気流は面気流となる。この面気流は広範囲に略均一な風速の、吹出方向に直線的な気流のため、面気流の中心部にコア領域が形成されるため直進性に優れ、遠方まで風速の減衰が少なく到達することができる。
【先行技術文献】
【特許文献】
【０００４】
【特許文献１】特開２０１７−１１５６２９号公報
【発明の概要】
【発明が解決しようとする課題】
【０００５】
ここで、季節に応じて夏は居住者が直接風を浴びて涼感が得られるように使用でき、冬は居住者に直接風を当てず、室内空気を攪拌して温度ムラを無くすように送風したい、という要望がある。
【０００６】
これに対し、特許文献１の送風装置は、広範囲な面気流を発生させるために大型なものとなり易く、住宅に備え付けて設置することも想定される。即ち、この送風装置は、送風装置自体の向きを変更することで、気流の方向を変更することが難しいという問題点があった。一方で、吹出口の外側に風向板（ルーバー）を設け、その風向板の向きを変更することにより、吹出口から吹き出される空気の送風方向を変更することで、送風装置で発生させる気流の送風方向を変更することが考えられる。しかしながら、その風向板の向きによって複数のノズルの間隙の一部を風向板が塞いでしまうと、誘引される空気が乱れ、広範囲に均一な風速の面気流が得られなくなるおそれがあるという問題点があった。
【０００７】
本発明は、上記課題を解決するためになされたものであり、羽根車を内包することで接触による不安感をなくし、広範囲に略均一な風速の気流を提供しつつ、その気流の送風方向を容易に変更できる送風装置、気流提供方法及び気流提供プログラムを提供することを目的とする。
【課題を解決するための手段】
【０００８】
この目的を達成するために、本発明の送風装置は、筐体に、空気を取り入れる吸込口と、高圧空気を発生するための羽根車と前記羽根車を駆動するためのモータで構成された高圧空気発生部と、前記筐体の一面から起立させた複数のノズルとを備える。前記ノズルは、側部に、前記ノズルを起立させた方向に対して垂直方向に前記高圧空気発生部で発生した高圧空気を吹出す吹出口を備え、内部に、高圧空気を前記吹出口に導くためのダクトを備える。前記ノズルは、前記垂直方向の断面が吹出方向に縦長であり、複数それぞれの前記吹出口が同一面となるように間隙を設けて備えられる。前記間隙によって、前記吹出口から吹出す空気に誘引される空気の誘引風路が形成される。そして、前記間隙を変化させずに前記送風装置からの送風方向を切り替える切替部を備える。
【０００９】
また、本発明の気流提供方法は、前記送風装置を用いて気流を提供する方法であって、前記高圧空気発生部により高圧空気を発生させる発生工程と、前記間隙を変化させずに前記送風装置からの送風方向を切り替える切替工程とを含む。
【００１０】
また、本発明の気流提供プログラムは、前記送風装置により実行される気流提供プログラムであって、前記送風装置に、前記間隙を変化させずに前記送風装置からの送風方向を切り替える切替部を実現させる。
【発明の効果】
【００１１】
本発明の送風装置、気流提供方法及び気流提供プログラムによれば、羽根車を内包することで接触による不安感をなくすことができる。また、吹出口からの高圧空気の吹出しにより誘引される空気が小さくならないよう間隙を設けて複数のノズルが備えられているため、複数の吹出口から吹出された高圧空気と、吹出口からの高圧空気の吹出しにより誘引される空気からなる面気流を広範囲に略均一な風速の気流とすることができる。また、吹出口を面一とすることで、吹出す気流を面気流とすることができる。更に、間隙を変化させずに送風装置からの送風方向が切り替えられるので、誘引風路にて誘引される空気を乱すことなく、気流の送風方向を変更できる。よって、羽根車を内包することで接触による不安感をなくし、広範囲に略均一な風速の気流を提供しつつ、その気流の送風方向を容易に変更できるという効果を得ることができる。
【図面の簡単な説明】
【００１２】
【図１】本発明の第１実施形態に係る送風装置の斜視図である。
【図２】同送風装置の断面図である。
【図３】同送風装置の断面図である。
【図４】同送風装置の断面図である。
【図５】本発明の第２実施形態に係る送風装置のノズルの断面図である。
【図６】（ａ）は、本発明の第３実施形態に係る送風装置のノズルの断面図であって送風方向が第１吹出口側である場合を示した図であり、（ｂ）は、同送風装置のノズルの断面図であって送風方向が第２吹出口側である場合を示した図である。
【図７】（ａ）は、本発明の第４実施形態に係る送風装置の断面図であって送風方向がワイド気流である場合を示した図であり、（ｂ）は、同送風装置の断面図であって送風方向がスポット気流である場合を示した図である。
【図８】（ａ）は、本発明の第５実施形態に係る送風装置の断面図であって送風方向がワイド気流である場合を示した図であり、（ｂ）は、同送風装置の断面図であって送風方向がスポット気流である場合を示した図であり、（ｃ）は、同送風装置の断面図であって送風方向が左向きである場合を示した図である。
【図９】本発明の第１〜第５実施形態に係る送風装置にて実行される気流提供プログラムを示すフローチャートである。
【発明を実施するための形態】
【００１３】
以下、本発明を実施するための形態について添付図面を参照して説明する。
【００１４】
（第１実施形態）
まず、図１〜３を参照して、本発明の第１実施形態に係る送風装置１１について説明する。図１は、送風装置１１の斜視図であり、図２は、送風装置１１を断面Ａで切った断面図であり、図３は、送風装置１１を断面Ｂで切った断面図であり、図４は、送風装置１１を断面Ｃで切った断面図である。
【００１５】
送風装置１１は、図１に示す通り、筐体１２の一面から起立させた複数の等しい長さのノズル１３（本実施形態では６個）を備えたものである。本実施形態では、筐体１２の上面からノズル１３を起立させ、これら複数のノズル１３の上部を天板３２で繋いでいる。なお、ノズル１３の上部を天板３２で繋がず、複数のノズル１３の間隙が上部で開放されていてもよい。また、ノズル１３は、筐体１２の下面から突出させてもよい。
【００１６】
筐体１２の内部は、図２に示す通り、３つの空間１５に分割され、各空間１５は、隣り合う２個のノズル１３と接続されている。各空間１５には、高圧空気を発生するための羽根車１６と羽根車１６を駆動するためのモータ１７で構成された高圧空気発生部１８がそれぞれ設けられている。図４（ａ）に示す通り、筐体１２には、各空間１５に対して空気を取り入れる吸込口１４が設けられ、吸込口１４より取り込まれた空気が各空間１５の羽根車１６に供給されて、各々の空間１５で高圧空気が発生される。空間１５毎にモータ１７による羽根車１６の回転が制御可能に構成され、各々の空間１５で発生される高圧空気の圧力を変更できる。
【００１７】
なお、取り入れた空気を浄化する空気浄化フィルタが吸込口１４に取り付けられるようにしてもよい。この空気浄化フィルタには、既知の集塵フィルタや活性炭などの脱臭フィルタを用いることができる。この空気浄化フィルタを通過した空気は、ほこりや花粉、アレルギー物質などが取り除かれた浄化空気となり、羽根車１６に供給される。
【００１８】
各ノズル１３の側部には、図１、図３及び図４（ａ）に示すように、ノズル１３を起立させた方向に対して垂直方向である一方向に、対応する高圧空気発生部１８で発生した高圧空気を吹出す吹出口１９を備えている。ノズル１３の内部には、その高圧空気発生部１８で発生した高圧空気を吹出口１９に導くためのダクト２０を備えている。ダクト２０は、少なくともノズル１３と同数備えている。高圧空気発生部１８とダクト２０の間には高圧空気を各ノズル１３に分流するチャンバー空間２１が備えられている。
【００１９】
ノズル１３は、図３に示すように、前記垂直方向の断面が吹出方向に縦長である。複数のノズル１３は、それぞれの吹出口１９が同一面となるように間隙を設けて備えられ、この間隙によって、吹出口１９から吹出す気流に誘引される空気の誘引風路２２が形成されている。本実施の形態の例では、ノズル１３を６本設けているので、ノズル１３に挟まれた間隙にそれぞれ誘引風路２２がノズル１３の数より少ない５本形成できる。
【００２０】
なお、前記間隙の長さとしては、ノズル１３の前記垂直方向の断面における吹出方向に対して垂直方向の長さ（ノズル１３の幅）以上、ノズル１３の筐体１２上面からの起立方向の長さの半分以下が風速の均一性を得られるため好ましく、本実施の形態では、一例としてノズル１３の幅が３０ｍｍ、ノズル１３の起立方向長さが６００ｍｍ、間隙の長さが１００ｍｍ、ノズル１３の吹出方向長さが２００ｍｍの場合を示している。また本実施の形態では、ノズル１３の垂直方向の断面形状は、長方形形状だとしたが、吹出し方向に縦長であればよく、楕円など別の形状でもよい。
【００２１】
図４（ａ）、（ｂ）に示すように、ノズル１３内部の吹出口１９近傍には、吹出口１９から吹出される空気の送風方向を切り替える切替部２４を備えている。本実施形態に係る切替部２４は、ノズル１３の起立方向、即ち、水平面に対して上下方向に送風方向を切り替えるように構成されている。切替部２４は、複数の風向板２４ａが吹出口１９近傍にノズル１３の起立方向に並べられて構成される。各風向板２４ａは、吹出口１９側において支軸２４ｂにて回動可能に軸支される一方、全ての風向板２４ａが吹出口１９と反対側において支持板２４ｃと接続される。支持板２４ｃは、下部において風向板２４ａと平行な向きに取り付けられた駆動板２４ｄと接続される。駆動板２４ｄは、支持板２４ｃと接続された側と反対側、即ち、吹出口１９側で切替用モータ２４ｅに接続されている。切替用モータ２４ｅは、ノズル１３の前記垂直方向の断面における吹出方向に対して垂直方向（ノズル１３の幅方向）を軸として駆動板２４ｄを回動可能に構成される。
【００２２】
ここで、複数のノズル１３とは３本以上のことを示す。また、風速の均一性とは後述する吹出空気流２５と誘引空気流２６が合流した面気流の風速の分布に着目したもので、吹出口１９から所定の距離を離れて正面視する平面において観測される風速の分布が、所定の範囲であることを示す。つまり前記平面での最小の風速が少なくとも最大風速の半分までは許容できることとしている。また、高圧空気とは大気圧以上の空気を示すものとする。
【００２３】
このような構成によれば、送風装置１１が稼動すると、モータ１７が駆動し、羽根車１６が回転することにより、内部流れ２３に示すように、室内空気は、吸込口１４から筐体１２内部の各空間１５に取り込まれる。各空間では、それぞれ取り込まれた空気が羽根車１６を通過し、高圧空気としてチャンバー空間２１に至る。高圧空気は、チャンバー空間２１で複数のダクト２０に分流され、各ダクト２０を通過し、吹出口１９近傍に設けられた切替部２４でノズル１３起立方向の送風方向が調整され、吹出口１９から吹出されて、吹出空気流２５となる。
【００２４】
そして、図１のように吹出空気流２５により、誘引風路２２と最外部のノズル１３の外側の空気が誘引され、誘引空気流２６となる。これら吹出空気流２５と誘引空気流２６とが、送風装置１１の吹出方向前方で合流され、広範囲に略均一な風速の面気流が送風できる。このとき、羽根車１６は筐体１２内に内包されているため、使用者が外部から接触できない構造となっているため、接触による不安感をなくすことができる。
【００２５】
また、吹出口１９を同一面となるようにノズル１３は間隙を設けて配置することで、吹出す気流は面気流となる。面気流は、広範囲に略均一な風速の気流で、吹出方向に直線的な気流のため、面気流の中心部にコア領域が形成される。よって、直進性に優れ、遠方まで風速の減衰が少なく到達することができる。
【００２６】
また、切替部２４により、風向板２４ａの仰角を変更することで、吹出口１９から吹出される空気の送風方向が切り替えられる。例えば、図４（ａ）に示す通り、切替用モータ２４ｅを駆動して、駆動板２４ｄを水平方向に位置させると、支持板２４ｃを介して風向板２４ａも水平方向に位置する。即ち、風向板２４ａの仰角が０にされる。風向板２４ａが水平方向に位置している場合は、吹出口１９から吹出される吹出空気流２５の送風方向を水平方向にすることができる。これにより、吹出空気流２５に誘引された誘引空気流２６も水平方向に発生し、全体として送風装置１１から送風される面気流の送風方向を水平方向とすることができる。
【００２７】
一方、図４（ａ）に示す駆動板２４ｄの状態から、切替用モータ２４ｅを駆動して駆動板２４ｄを回動させることにより、図４（ｂ）に示すように、駆動板２４ｄを吹出口１９側に向けて上向きに位置させると、支持板２４ｃが下方向に移動する。その支持板２４ｃの移動に合わせて、風向板２４ａも支軸２４ｂを軸として回動し、吹出口１９側に向けて上向きに位置されるように、風向板２４ａの仰角が変更される。これにより、吹出口１９から吹出される吹出空気流２５の送風方向を、風向板２４ａの向きに合わせて上向きにすることができる。よって、吹出空気流２５に誘引された誘引空気流２６も上方向に発生し、全体として送風装置１１から送風される面気流の送風方向を上方向とすることができる。
【００２８】
従って、切替部２４により、夏は送風方向を水平方向にして居住者が直接風を浴びて涼感が得られるように使用でき、冬は送風方向を上方向にして居住者に直接風を当てず、室内空気を攪拌して温度ムラを無くすように送風する等、季節に応じて送風方向を水平面に対して上下方向に容易に変更できる。そして、切替部２４はノズル１３内部に設けられており、外部ルーバーを設けて送風方向を変更する場合と比して、切替部２４によって送風方向を変更させても、複数のノズル１３の間隙の一部を塞ぐ等、その間隙を変化させることがない。つまり、誘引風路２２にて誘引される誘引空気流２６を乱すことなく、送風装置１１から送風される面気流の送風方向を変更できる。以上より、送風装置１１は、羽根車１６を内包することで接触による不安感をなくし、広範囲に略均一な風速の面気流を提供しつつ、その面気流の送風方向を容易に変更できる。
【００２９】
（第２実施形態）
次いで、図５を参照して第２実施形態に係る送風装置１１について、第１実施形態に係る送風装置１１と相違する点を中心に説明する。第１実施形態に係る送風装置１１と同一の構成については、同一の符号を付し説明を省略する。
【００３０】
図５は、第２実施形態に係る送風装置１１を図１の断面Ｂで切った場合の一のノズル１３の断面図である。第２実施形態に係る送風装置１１は、第１実施形態に係る切替部２４に代えて、切替部３１がノズル１３内部の吹出口１９近傍に設けられている。本実施形態に係る切替部３１は、送風装置１１から送風される面気流の面、即ち、複数のノズル１３の吹出口１９が設けられる同一面からみて左右方向に、吹出口１９から吹出される吹出空気流２５の送風方向を切りらえるように構成されている。
【００３１】
具体的には、切替部３１は、図５に示す通り、ノズル１３の起立方向に延びた風向板３１ａと支軸３１ｂとを備えており、風向板３１ａの吹出口１９側が支軸３１ｂに固定されている。支軸３１ｂは、図示しない切替用モータでその位置で回動可能に構成され、支軸３１ｂの回動によって風向板３１ａの方位角が変更されて、風向板３１ａの向きが切り替えられるようになっている。
【００３２】
そして、ノズル１３を面気流の面（前記同一面）を正面視した場合に、風向板３１ａを図５に示す実線の位置である左側に向けると、吹出口１９から吹出される吹出空気流２５の送風方向を、前記同一面からみて右方向にすることができる。これにより、吹出空気流２５に誘引された誘引空気流２６も前記同一面を見て右方向に発生し、全体として送風装置１１から送風される面気流の方向を、前記同一面を見て右方向とすることができる。
【００３３】
一方、ノズル１３を面気流の面（前記同一面）を正面視した場合に、風向板３１ａを図５に示す破線の位置である右側に向けると、吹出口１９から吹出される吹出空気流２５の送風方向を、前記同一面からみて左方向にすることができる。これにより、吹出空気流２５に誘引された誘引空気流２６も前記同一面を見て左方向に発生し、全体として送風装置１１から送風される面気流の方向を、前記同一面を見て左方向とすることができる。このように、切替部３１によって、送風装置１１から送風される面気流の送風方向を前記同一面を見て左右方向に容易に変更できる。
【００３４】
そして、切替部３１は、第１実施形態と同様にノズル１３内部に設けられているので、誘引風路２２にて誘引される誘引空気流２６を乱すことなく、送風装置１１から送風される面気流の送風方向を変更できる。以上より、第２実施形態に係る送風装置１１も、羽根車１６を内包することで接触による不安感をなくし、広範囲に略均一な風速の面気流を提供しつつ、その面気流の送風方向を容易に変更できる。
【００３５】
（第３実施形態）
次いで、図６を参照して第３実施形態に係る送風装置１１について、第１及び第２実施形態に係る送風装置１１と相違する点を中心に説明する。第１及び第２実施形態に係る送風装置１１と同一の構成については、同一の符号を付し説明を省略する。
【００３６】
図６は、第３実施形態に係る送風装置１１を図１の断面Ｂで切った場合の一のノズル１３の断面図である。第３実施形態に係る送風装置１１では、垂直方向の断面形状が長方形形状のノズル１３の短辺側の一方の側部に第１吹出口としての吹出口１９を備える一方、短辺側の他方の側部に第２吹出口３４を備えている。第２吹出口３４は、ノズル１３を起立させた方向に対して垂直方向である一方向であって、第１吹出口１９とは反対方向に、対応する高圧空気発生部１８で発生した高圧空気を吹出すものである。
【００３７】
また、ノズル１３は、それぞれの第１吹出口１９が同一面となり且つそれぞれの第２吹出口３４が同一面となるように間隙を設けて備えられ、この間隙によって、吹出口１９から吹出す気流に誘引される空気の誘引風路２２が形成されている。
【００３８】
また、第３実施形態に係る送風装置１１は、第１吹出口１９と前記第２吹出口のどちらか一方のみから空気が吹出されるように切り替える切替部３３を備えている。切替部３３は、第１吹出口１９を封鎖可能に構成された第１切替部材３３ａと、第２吹出口３４を封鎖可能に構成された第２切替部材３３ｂとを備えている。第１切替部材３３ａ及び第２切替部材３３ｂは、それぞれ図示しないソレノイドに接続されており、ソレノイドの駆動を制御して、第１切替部材３３ａによる第１吹出口１９の封鎖及び開放並びに第２切替部材３３ｂによる第２吹出口３４の封鎖及び開放が行われる。
【００３９】
そして、図６（ａ）に示す通り、ソレノイドを駆動して、第１切替部材３３ａの位置を第１吹出口１９を開放する位置に配置し、第２切替部材３３ｂの位置を第２吹出口３４を封鎖する位置に配置すると、ノズル１３からは第１吹出口１９から吹出空気流２５が吹出される。このとき、第２吹出口３４からは吹出空気流２５が吹出されない。これにより、吹出空気流２５に誘引された誘引空気流２６も第２吹出口３４側から第１吹出口１９側に向けて発生し、全体として送風装置１１からの面気流は、第１吹出口１９側に発生する。
【００４０】
一方、図６（ｂ）に示す通り、ソレノイドを駆動して、第１切替部材３３ａの位置を第１吹出口１９を封鎖する位置に配置し、第２切替部材３３ｂの位置を第２吹出口３４を開放する位置に配置すると、ノズル１３からは第２吹出口３４から吹出空気流２５が吹出される。このとき、第１吹出口１９からは吹出空気流２５が吹出されない。これにより、吹出空気流２５に誘引された誘引空気流２６も第１吹出口１９側から第２吹出口３４側に向けて発生し、全体として送風装置１１からの面気流は、第２吹出口３４側に発生する。このように、切替部３３によって、送風装置１１から送風される面気流の送風方向を、送風装置１１の正面視に対して前後方向に容易に変更できる。
【００４１】
そして、切替部３１は、第１実施形態と同様にノズル１３内部に設けられているので、誘引風路２２にて誘引される誘引空気流２６を乱すことなく、送風装置１１から送風される面気流の送風方向を変更できる。以上より、第３実施形態に係る送風装置１１も、羽根車１６を内包することで接触による不安感をなくし、広範囲に略均一な風速の面気流を提供しつつ、その面気流の送風方向を容易に変更できる。
【００４２】
（第４実施形態）
次いで、図７を参照して第４実施形態に係る送風装置１１について、第１〜第３実施形態に係る送風装置１１と相違する点を中心に説明する。第１〜第２実施形態に係る送風装置１１と同一の構成については、同一の符号を付し説明を省略する。
【００４３】
図７は、第４実施形態に係る送風装置１１を図１の断面Ｂで切った断面図である。なお、図を簡略化するため、ノズル１３を６本ではなく、４本で示してある。ただし、上述した通り、ノズル１３の本数は３本以上の複数本であればよい。
【００４４】
第４実施形態において、各ノズル１３には、第２実施形態の切替部３１が設けられている。第４実施形態では、この切替部３１の風向板３１ａの向きを各々のノズル１３で異ならせることで、送風装置１１より発生される面気流を、水平面に対して広角に拡大するワイド気流と、中央部に集中させるスポット気流とで、切り替えられるように構成されている。
【００４５】
例えば、図７（ａ）には、ワイド気流を発生させる場合を示している。図７（ａ）に示す通り、複数のノズル１３を面気流の面（前記同一面）を正面視した場合に、最も左側のノズル１３の風向板３１ａの向きを複数のノズル１３の中で最も右側に向くように角度をつける。また、左側から二番目のノズル１３の風向板３１ａの向きを複数のノズル１３の中で二番目に右側に向くように角度をつける。そして、複数のノズル１３のうち、左半分側にあるノズル１３については、風向板３１ａの向きを右側に向くように角度をつけ、その角度は、左側にあるノズル１３程大きくなるようにする。一方、最も右側のノズル１３の風向板３１ａの向きを複数のノズル１３の中で最も左側に向くように角度をつける。また、右側から二番目のノズル１３の風向板３１ａの向きを複数のノズル１３の中で二番目に左側に向くように角度をつける。そして、複数のノズル１３のうち、右半分側にあるノズル１３については、風向板３１ａの向きを左側に向くように角度をつけ、その角度は、右側にあるノズル１３程大きくなるようにする。
【００４６】
これにより、複数のノズル１３を面気流の面（前記同一面）を正面視した場合に、左側にあるノズル１３から吹出される吹出空気流２５ほど、左側に角度をつけて吹出され、右側にあるノズル１３から吹出される吹出空気流２５ほど、右側に角度をつけて吹出される。よって、これらの吹出空気流２５と、その吹出空気流２５により誘引される誘引空気流２６とが合流して、全体として送風装置１１から送風される面気流の送風方向を、広角に拡大するワイド気流とすることができる。
【００４７】
一方、図７（ｂ）には、スポット気流を発生させる場合を示している。図７（ｂ）に示す通り、複数のノズル１３を面気流の面（前記同一面）を正面視した場合に、最も左側のノズル１３の風向板３１ａの向きを複数のノズル１３の中で最も左側に向くように角度をつける。また、左側から二番目のノズル１３の風向板３１ａの向きを複数のノズル１３の中で二番目に左側に向くように角度をつける。そして、複数のノズル１３のうち、左半分側にあるノズル１３については、風向板３１ａの向きを左側に向くように角度をつけ、その角度は、左側にあるノズル１３程大きくなるようにする。一方、最も右側のノズル１３の風向板３１ａの向きを複数のノズル１３の中で最も右側に向くように角度をつける。また、右側から二番目のノズル１３の風向板３１ａの向きを複数のノズル１３の中で二番目に右側に向くように角度をつける。そして、複数のノズル１３のうち、右半分側にあるノズル１３については、風向板３１ａの向きを右側に向くように角度をつけ、その角度は、右側にあるノズル１３程大きくなるようにする。
【００４８】
これにより、複数のノズル１３を面気流の面（前記同一面）を正面視した場合に、左側にあるノズル１３から吹出される吹出空気流２５ほど、右側に角度をつけて吹出され、右側にあるノズル１３から吹出される吹出空気流２５ほど、左側に角度をつけて吹出される。よって、これらの吹出空気流２５と、その吹出空気流２５により誘引される誘引空気流２６とが合流して、全体として送風装置１１から送風される面気流の送風方向を、中央部に集中させるスポット気流とすることができる。
【００４９】
このように、切替部３１によって、送風装置１１から送風される面気流の送風方向を、ワイド気流とスポット気流とで容易に変更できる。
【００５０】
そして、切替部３１は、第１実施形態と同様にノズル１３内部に設けられているので、誘引風路２２にて誘引される誘引空気流２６を乱すことなく、送風装置１１から送風される面気流の送風方向を変更できる。以上より、第４実施形態に係る送風装置１１も、羽根車１６を内包することで接触による不安感をなくし、広範囲に略均一な風速の面気流を提供しつつ、その面気流の送風方向を容易に変更できる。
【００５１】
（第５実施形態）
次いで、図８を参照して第５実施形態に係る送風装置１１について、第１〜第４実施形態に係る送風装置１１と相違する点を中心に説明する。第１〜第４実施形態に係る送風装置１１と同一の構成については、同一の符号を付し説明を省略する。
【００５２】
図８は、第５実施形態に係る送風装置１１を図１の断面Ｂで切った断面図である。なお、図を簡略化するため、図７と同様に、ノズル１３を６本ではなく、４本で示してあるが、ノズル１３の本数は３本以上の複数本であればよい。
【００５３】
第５実施形態では、各ノズル１３の吹出口１９から吹出される吹出空気流２５の風量を、それぞれのノズル１３毎に調整できるように構成されている。例えば、それぞれのノズル１３毎に高圧空気発生部１８を設け、モータ１７を制御して羽根車１６の回転速度を各々のノズル１３で変更して発生させる高圧空気の圧力を変更することで、各ノズル１３から吹出される吹出空気流２５の風量を調整してもよい。なお、第１実施形態のように、２個のノズル１３毎に高圧空気発生部１８を設けた場合は、２個のノズル１３毎に、吹出される吹出空気流２５の風量を調整してもよい。この各ノズル１３から吹出される吹出空気流２５の風量の切り替えが、本発明の切替部に相当する。
【００５４】
また、第５実施形態では、各ノズル１３内部に、そのノズル１３の起立方向に延びた風向板（図示せず）が固着されており、ノズル１３毎にその風向板の設置角度を異ならせることで、それぞれのノズル１３から吹出される吹出空気流２５の吹出方向を異ならせている。具体的には、複数のノズル１３を面気流の面（前記同一面）を正面視した場合に、
左側にあるノズル１３から吹出される吹出空気流２５ほど、左側に角度をつけて吹出され、右側にあるノズル１３から吹出される吹出空気流２５ほど、右側に角度をつけて吹出されるように、風向板が固着される。
【００５５】
このように構成された第５実施形態に係る送風装置１１では、各ノズル１３の吹出口１９から吹出される吹出空気流２５の風量を、それぞれのノズル１３毎に変えることで、送風装置１１による発生する面気流の送風方向を次のように切り替えることができる。
【００５６】
例えば、図８（ａ）に示す通り、複数のノズル１３を面気流の面（前記同一面）を正面視した場合に、中央部にあるノズル１３から吹出される吹出空気流２５ほど吹出空気流２５の風量を小さくし、外側にあるノズル１３から吹出される吹出空気流２５ほど吹出空気流２５の風量を大きくすることで、これらの吹出空気流２５と、その吹出空気流２５により誘引される誘引空気流２６とが合流して、全体として送風装置１１から送風される面気流の送信方向を、広角に拡大するワイド気流とすることができる。
【００５７】
また、図８（ｂ）に示す通り、複数のノズル１３を面気流の面（前記同一面）を正面視した場合に、中央部にあるノズル１３から吹出される吹出空気流２５ほど吹出空気流２５の風量を大きくし、外側にあるノズル１３から吹出される吹出空気流２５ほど吹出空気流２５の風量を小さくすることで、これらの吹出空気流２５と、その吹出空気流２５により誘引される誘引空気流２６とが合流して、全体として送風装置１１から送風される面気流の送信方向を、中央部に集中させるスポット気流とすることができる。
【００５８】
また、図８（ｃ）に示す通り、複数のノズル１３を面気流の面（前記同一面）を正面視した場合に、左側にあるノズル１３から吹出される吹出空気流２５ほど吹出空気流２５の風量を大きくし、右側にあるノズル１３から吹出される吹出空気流２５ほど吹出空気流２５の風量を小さくすることで、これらの吹出空気流２５と、その吹出空気流２５により誘引される誘引空気流２６とが合流して、全体として送風装置１１から送風される面気流の方向を、前記同一面を見て左方向とすることができる。
【００５９】
なお、図示していないが、複数のノズル１３を面気流の面（前記同一面）を正面視した場合に、左側にあるノズル１３から吹出される吹出空気流２５ほど吹出空気流２５の風量を小さくし、右側にあるノズル１３から吹出される吹出空気流２５ほど吹出空気流２５の風量を大きくすることで、これらの吹出空気流２５と、その吹出空気流２５により誘引される誘引空気流２６とが合流して、全体として送風装置１１から送風される面気流の方向を、前記同一面を見て右方向とすることができる。
【００６０】
このように、各ノズル１３から吹出される吹出空気流２５の風量を切り替えることで、送風装置１１から送風される面気流の送風方向を容易に変更できる。そして、各ノズル１３から吹出される吹出空気流２５の風量を切り替えるだけであるので、誘引風路２２にて誘引される誘引空気流２６を乱すことなく、送風装置１１から送風される面気流の送風方向を変更できる。以上より、第５実施形態に係る送風装置１１も、羽根車１６を内包することで接触による不安感をなくし、広範囲に略均一な風速の面気流を提供しつつ、その面気流の送風方向を容易に変更できる。
【００６１】
なお、上記第１〜第４実施形態における切替部２４、３１、３３の駆動や、上記第５実施形態におけるノズル１３から吹出される吹出空気流２５の風量の変更（即ち、羽根車１６を回転させるモータ１７の回転量の制御）は、送風装置１１に備えられ、送風装置１１の動作を制御する制御部（図示せず）により実行される気流提供プログラムにより行われる。図９は、その気流提供プログラムを示すフローチャートである。
【００６２】
この気流提供プログラムは、送風装置１１に電源が投入されると実行が開始され、まず、高圧空気発生処理を実行する（Ｓ１）。この高圧空気発生処理では、高圧空気発生部１８のモータ１７を駆動し、羽根車１６を所定の回転量で回転させて、高圧空気を発生させる処理である。
【００６３】
次いで、気流提供プログラムは、切替処理を実行する（Ｓ２）。この切替処理は、使用者の設定や、部屋又は／及び外気温の温度等の状況に応じて、複数のノズル１３の間隙を変化させずに送風装置１１により発生する面気流の送風方向を切り替えるための処理である。即ち、このＳ２の処理により、状況に応じて、上記第１〜第４実施形態における切替部２４、３１、３３を駆動したり、上記第５実施形態におけるノズル１３から吹出される吹出空気流２５の風量を変更（即ち、羽根車１６を回転させるモータ１７の回転量の制御）したりする。そして、気流提供プログラムは、送風装置１１の電源がオフされるまで、Ｓ２の処理を繰り返し実行する。
【００６４】
このように、送風装置１１は、この気流提供プログラムを実行することによって、広範囲に略均一な風速の面気流を提供しつつ、その面気流の送風方向を容易に変更できる。
【００６５】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【００６６】
なお、上記第５実施形態では、各ノズル１３の吹出口１９から吹出される吹出空気流２５の風量を、それぞれのノズル１３毎に変えることで、送風装置１１による発生する面気流の送風方向を、前記同一面を見て左右方向に切り替える場合について説明した。これに対し、各ノズル１３の吹出口１９から吹出される吹出空気流２５の風量を同一にしつつ、その風量の大小を切り替えることで、送風装置１１により発生する面気流の送風方向を、水平面に対して上下方向に切り替えるようにしてもよい。即ち、各ノズル１３の吹出口１９から吹出される吹出空気流２５の風量を大きくすることで、吹出空気流２５の送風方向を上向きにし、その吹出空気流２５により誘引される誘引空気流２６の送風方向も上向きとなって、全体として送風装置１１により発生する面気流の送風方向も上向きにできる。また、各ノズル１３の吹出口１９から吹出される吹出空気流２５の風量を小さくすることで、吹出空気流２５の送風方向を下向きにし、その吹出空気流２５により誘引される誘引空気流２６の送風方向も下向きとなって、全体として送風装置１１により発生する面気流の送風方向も下向きにできる。よって、この場合も、広範囲に略均一な風速の面気流を提供しつつ、その面気流の送風方向を容易に変更できる。
【産業上の利用可能性】
【００６７】
本発明に係る送風装置は、羽根車を内包することで接触による不安感をなくし、広範囲に略均一な風速の気流を提供しつつ、その気流の送風方向を容易に変更できるため、居室内の床、天井や壁に設置され、直接気流による体感温度の減少や室内の空気の循環に使用される各種送風機器等として有用である。
【符号の説明】
【００６８】
１１    送風装置
１２    筐体
１３    ノズル
１４    吸込口
１５    空間
１６    羽根車
１７    モータ
１８    高圧空気発生部
１９    吹出口（第１吹出口）
２０    ダクト
２１    チャンバー空間
２２    誘引風路
２３    内部流れ
２４    切替部
２４ａ  風向板
２４ｂ  支軸
２４ｃ  支持板
２４ｄ  駆動板
２４ｅ  切替用モータ
２５    吹出空気流
２６    誘引空気流
３１    切替部
３１ａ  風向板
３１ｂ  支軸
３２    天板
３３    切替部
３３ａ  第１切替部材
３３ｂ  第２切替部材
３４    第２吹出口
【図１】
2019060294.tif 000003
【図２】
2019060294.tif 000004
【図３】
2019060294.tif 000005
【図４】
2019060294.tif 000006
【図５】
2019060294.tif 000007
【図６】
2019060294.tif 000008
【図７】
2019060294.tif 000009
【図８】
2019060294.tif 000010
【図９】
2019060294.tif 000011